(57)【特許請求の範囲】
【請求項１】
上下方向へスライド可能な上側電動役物及び下側電動役物が備えられており、所定のタイミングで両前記電動役物が通常位置から特定演出位置へと夫々移動する遊技機であって、
前記上側電動役物に、上下方向へスライドする第２装飾体と、上下方向に対して左右何れかに傾斜する方向であって前記通常位置から前記特定演出位置へと向かうにつれ前記第２装飾体と近接する方向へスライドする第１装飾体とが備えられているとともに、前記第１装飾体と前記第２装飾体とが、前記第１装飾体が前記第２装飾体に対して回動可能に左右方向へ並べて連結されており、
前記上側電動役物の前記通常位置から前記特定演出位置への移動に伴い、前記第１装飾体が、前記第２装飾体との連結箇所を軸として回動、且つ、前記第２装飾体側へ接近しながらスライドし、前記特定演出位置において前記第１装飾体と前記第２装飾体とが一体化し、
さらに、前記下側電動役物の前記通常位置から前記特定演出位置への移動に伴い、前記特定演出位置において、前記下側電動役物が前記特定演出位置にある前記上側電動役物と一体化することを特徴とする遊技機。
【発明の詳細な説明】
【技術分野】
【０００１】
本発明は、たとえば通常位置と特定演出位置との間を移動する電動役物を備えた遊技機に関するものである。
【背景技術】
【０００２】
従来、遊技機の一例であるパチンコ機には種々の電動役物が備えられており、たとえば遊技者から隠されている通常位置と、遊技者の面前に出現して発光等といった特定の演出を実行する特定演出位置との間を移動するような電動役物が知られている。そして、そのような電動役物では、直線的なスライドにより通常位置と特定演出位置との間を移動したり（たとえば特許文献１）、アームの揺動により通常位置と特定演出位置との間を移動したり（たとえば特許文献２）するように構成されている。
【先行技術文献】
【特許文献】
【０００３】
【特許文献１】特開２０１０−１５８３２６号公報
【特許文献２】特開２０１１−２４４９１６号公報
【発明の概要】
【発明が解決しようとする課題】
【０００４】
しかしながら、ただ単に通常位置から特定演出位置へと直線的にスライドしてきたり、アームの揺動に伴って特定演出位置へと出現してくるといった動作は従来周知であるため、新たな機種を開発したところで、新鮮味にかけるといった印象を遊技者に抱かれてしまうという問題がある。
【０００５】
そこで、本発明は、上記問題に鑑みなされたものであって、従来にない斬新な動きで通常位置から特定演出位置へと移動する電動役物を備えた遊技機を提供しようとするものである。
【課題を解決するための手段】
【０００６】
上記目的を達成するために、本発明は、上下方向へスライド可能な上側電動役物及び下側電動役物が備えられており、所定のタイミングで両前記電動役物が通常位置から特定演出位置へと夫々移動する遊技機であって、前記上側電動役物に、上下方向へスライドする第２装飾体と、上下方向に対して左右何れかに傾斜する方向であって前記通常位置から前記特定演出位置へと向かうにつれ前記第２装飾体と近接する方向へスライドする第１装飾体とが備えられているとともに、前記第１装飾体と前記第２装飾体とが、前記第１装飾体が前記第２装飾体に対して回動可能に左右方向へ並べて連結されており、前記上側電動役物の前記通常位置から前記特定演出位置への移動に伴い、前記第１装飾体が、前記第２装飾体との連結箇所を軸として回動、且つ、前記第２装飾体側へ接近しながらスライドし、前記特定演出位置において前記第１装飾体と前記第２装飾体とが一体化し、さらに、前記下側電動役物の前記通常位置から前記特定演出位置への移動に伴い、前記特定演出位置において、前記下側電動役物が前記特定演出位置にある前記上側電動役物と一体化することを特徴とする。
【０００７】
なお、上下方向へスライド可能な電動役物が備えられており、所定のタイミングで前記電動役物が通常位置から特定演出位置へと移動する遊技機において、前記電動役物が、上下方向へスライドする第２装飾体と、前記第２装飾体の左側に設けられ、上下方向に対して左右何れかに傾斜する方向であって前記通常位置から前記特定演出位置へと向かうにつれ前記第２装飾体と近接する方向へスライドする第１装飾体と、前記第２装飾体の右側に設けられ、上下方向に対して左右で前記第１装飾体とは逆側に傾斜する方向であって前記通常位置から前記特定演出位置へと向かうにつれ前記第２装飾体と近接する方向へスライドする第３装飾体とを備えているとともに、前記第１装飾体及び前記第３装飾体が前記第２装飾体に対して回動可能に、且つ、前記通常位置において、前記第１装飾体の装飾部、前記第２装飾体の装飾部、及び前記第３装飾体の装飾部が離隔した状態で連結されており、前記通常位置から前記特定演出位置への移動に伴い、前記第１装飾体及び前記第３装飾体が、前記第２装飾体との連結箇所を軸として回動、且つ、前記第２装飾体側へ接近しながらスライドし、前記特定演出位置において、前記第１装飾体の装飾部及び前記第３装飾体の装飾部が夫々前記第２装飾体の装飾部に当接し、全ての前記装飾部が一体となるといった構成を採用することも考えられる。
そして、そのような構成を採用することにより、電動役物は、従来にない動きで通常位置から特定演出位置へと移動することになり、遊技者に新鮮な印象を与えることができるといった効果を奏することができる。
【発明の効果】
【０００８】
本発明によれば、上側電動役物に、上下方向へスライドする第２装飾体と、上下方向に対して左右何れかに傾斜する方向であって通常位置から特定演出位置へと向かうにつれ第２装飾体と近接する方向へスライドする第１装飾体とを備え、第１装飾体と第２装飾体とを、第１装飾体が第２装飾体に対して回動可能に左右方向へ並べて連結し、上側電動役物の通常位置から特定演出位置への移動に伴い、第１装飾体が、第２装飾体との連結箇所を軸として回動、且つ、第２装飾体側へ接近しながらスライドし、特定演出位置において第１装飾体と第２装飾体とが一体化するようにしている。また、通常位置と特定演出位置との間を移動する下側電動役物を設け、下側電動役物の通常位置から特定演出位置への移動に伴い、特定演出位置において、下側電動役物が特定演出位置にある上側電動役物と一体化するようにしている。したがって、上側電動役物と下側電動役物とが、従来にない動きで通常位置から特定演出位置へと移動することになり、遊技者に新鮮な印象を与えることができる。
【図面の簡単な説明】
【０００９】
【図１】パチンコ機を前面側から示した説明図である。
【図２】遊技盤を前面側から示した説明図である。
【図３】パチンコ機を後面側から示した説明図である。
【図４】通常位置にある上側電動役物及び下側電動役物を前面側から示した説明図である。
【図５】特定演出位置にある上側電動役物、下側電動役物、及び振り子役物を前面側から示した説明図である。
【図６】上側電動役物の斜視説明図である。
【図７】上側電動役物を分解した状態を示した説明図である。
【図８】振り子役物の斜視説明図である。
【図９】振り子役物を分解した状態を示した説明図である。
【図１０】振り子役物の円盤体における周縁部の断面を示した説明図である。
【図１１】円盤体の組み立てを模式的に示した説明図である。
【発明を実施するための形態】
【００１０】
以下、本発明の一実施形態となるパチンコ機について、図面にもとづき詳細に説明する。
【００１１】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１２】
当該遊技領域１６は、遊技盤２の前面に円弧状に配設された外レール２３及び内レール２４等によって囲まれており、遊技領域１６の左部における両レール２３、２４間が遊技球を遊技領域１６内へ打ち込むための発射通路１３とされている。また、遊技領域１６の略中央には、「０」〜「９」の数字からなる図柄を表示するための図柄表示部６が設けられている。さらに、図柄表示部６を囲むように、後述する上側電動役物３１や下側電動役物３２（図４や図５に示す）、振り子役物５１（図８に示す）を含めた種々の電動役物を備えてなるセンター部材２６が遊技盤２に設置されており、遊技領域１６におけるセンター部材２６の下方（図柄表示部６の下方）には、遊技球が入賞可能な始動入賞口１９と、開閉可能な扉部材を有する始動入賞役物１７とが設置されている。そして、センター部材２６の左方（図柄表示部の左方）には、遊技球が流下可能な左打ち用スペースＳＬが形成されており、遊技球を該左打ち用スペースＳＬを流下させることで、始動入賞口１９への入賞を狙うことができるようになっている。
【００１３】
加えて、センター部材２６の右方（図柄表示部６の右方）にも遊技球が流下可能な右打ち用スペースＳＲが形成されている。そして、該右打ち用スペースＳＲには、遊技球が通過可能なゲート部材７１が設けられているとともに、右打ち用スペースＳＲ内でゲート部材７１の下方には、右打ち用スペースＳＲを流下しゲート部材７１を通過する等した遊技球を始動入賞役物１７側へ誘導する案内路７０が設けられている。該案内路７０の進入口は、右打ち用スペースＳＲ内に、排出口は、始動入賞役物１７の近傍で始動入賞役物１７よりも上方となる位置に夫々開口している。さらに、センター部材２６の右側には、遊技球が入賞可能な入賞口（図示せず）が設けられているとともに、該入賞口を開閉する翼片付き大入賞装置１８が設けられている。なお、センター部材２６の左右を問わず、遊技領域１６の略全面には、多数の遊技釘８０、８０・・が植設されている。
【００１４】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されており、ハンドル９の回動量を調整することにより、遊技球の遊技領域１６内への打ち込み強度を調整可能としている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置、各種電動役物等の動作を統合的に制御するサブ制御装置（図示せず）等が設置されている。尚、２２は、パチンコ機１をトランスに接続するためのプラグであり、２７は、アースである。
【００１６】
以上のようなパチンコ機１では、遊技者によってハンドル９が回動操作されると、発射装置１０が作動し、発射通路１３を介して遊技球が遊技領域１６内へ打ち込まれる。そして、まずはセンター部材２６の左方（図柄表示部６の左方）となる左打ち用スペースＳＬ内を流下した遊技球が始動入賞口１９へ入賞すると、メイン制御装置にて「大当たり抽選」を行う。該「大当たり抽選」は、乱数から１つの数値を取得する態様で行われ、取得した数値に応じて、「大当たり」であるか「外れ」であるかを決定するとともに、図柄表示部６における図柄の変動時間を決定する。そして、「大当たり抽選」の結果、「大当たり」である場合には、決定した変動時間だけ図柄表示部６にて図柄を変動表示させた後、図柄表示部６に所定の「大当たり図柄」（たとえば、「７、７、７」等）を確定表示させる。さらに当該確定表示後、翼片付き大入賞装置１８の翼片を所定回数にわたって断続的に開成するといった所謂「大当たり状態」を生起する。一方、「大当たり抽選」の結果、「外れ」である場合には、決定した変動時間だけ図柄を変動表示させた後、図柄表示部６に「外れ図柄」（たとえば、「１、２、１」等）を確定表示させる。なお、図柄の変動表示中（たとえば図柄表示部６におけるリーチ演出中等）には、サブ制御装置による制御のもと、センター部材２６に備えられた上側電動役物３１や下側電動役物３２、振り子役物５１を作動させる等して、遊技者に「大当たり状態」生起の期待感を抱かせる。
【００１７】
また、「大当たり状態」を生起する際しては、右打ち用スペースＳＲへと遊技球を打ち込む所謂「右打ち」を行うように、図柄表示部６を利用して遊技者に報知する。したがって、遊技者は、右打ち用スペースＳＲへと遊技球を打ち込み、断続的に開成する翼片付き大入賞装置１８へ遊技球を入賞させることによって、多くの賞品球を獲得することができる。
【００１８】
さらに、「大当たり状態」の終了後にも右打ちが継続されることによって、右打ち用スペースＳＲを流下する遊技球がゲート部材７１を通過すると、メイン制御装置にて始動入賞役物１７の「作動抽選」を実行する。該「作動抽選」も、上記「大当たり抽選」同様に、乱数から１つの数値を取得する態様で行われ、取得した数値に応じて「当たり」であるか「外れ」であるかを決定し、「当たり」であった場合にのみ、所定時間にわたって始動入賞役物１７の扉部材を開成させ、遊技球の入賞を許容する。そして、当該始動入賞役物１７への遊技球の入賞を検出すると、メイン制御装置にて上記同様の「大当たり抽選」を実行するとともに、「大当たり抽選」の結果に応じて図柄表示部６で図柄を変動表示及び確定表示させる。
【００１９】
なお、始動入賞役物１７への遊技球の入賞に応じて実行する「大当たり抽選」では、始動入賞口１９への入賞に応じて実行する「大当たり抽選」よりも「大当たり」となる確率が１０倍程度高く設定されている。また、ゲート部材７１の通過に伴い「作動抽選」を実行するという遊技状態は、「大当たり状態」の終了後、図柄表示部６における図柄の確定表示回数が所定回数（たとえば５０回）に達するまで継続する。そして、それ以降は当該遊技状態を終了し、たとえ遊技球がゲート部材７１を通過しても「作動抽選」を実行しない（若しくは「作動抽選」における当選確率を０とする）。
【００２０】
（上側電動役物３１、下側電動役物３２、及び振り子役物５１の構造）
ここで、本発明の要部となる上側電動役物３１及び下側電動役物３２について、図４〜図７にもとづき詳細に説明する。図４は、通常位置にある上側電動役物３１及び下側電動役物３２を前面側から示した説明図であり、図５は、特定演出位置にある上側電動役物３１、下側電動役物３２、及び振り子役物５１を前面側から示した説明図である。図６は、上側電動役物３１の斜視説明図であり、図７は、上側電動役物３１を分解した状態を示した説明図である。
【００２１】
上側電動役物３１及び下側電動役物３２は、センター部材２６において最も前方に位置する役物付き装飾カバー３０（図２に示す）の後方にあり、前方に開口する箱状の支持体（図示せず）に設けられている。上側電動役物３１は、左右方向に並ぶ金属製の３つの装飾体（左から順に第１装飾体３１ａ、第２装飾体３１ｂ、第３装飾体３１ｃとする）からなり、基台３３と、基台３３に取り付けられるモータ３５と、第２装飾体３１ｂとモータ３５とを連結するアーム３６とを有する駆動機構によって上下方向へ移動可能となっている。まず、駆動機構について説明すると、基台３３は、左脚部、右脚部、及び両脚部の上部同士を連結するような架設部からなる合成樹脂製部材であって、左脚部には第１装飾体３１ａのスライドを案内する左側案内溝３７が、右脚部には第３装飾体３１ｃのスライドを案内する右側案内溝３８が夫々長孔状に形成されている。また、左側案内溝３７は上下方向に対して左側へ所定角度だけ傾斜している一方、右側案内溝３８は上下方向に対して右側へ所定角度だけ傾斜している。したがって、各案内溝３７、３８によって案内される第１装飾体３１ａ及び第３装飾体３１ｃのスライド方向は、下方へいくにつれ（すなわち通常位置から特定演出位置へと向かうにつれ）第２装飾体３１ｂと近接する方向となっている。さらに、右脚部における右側案内溝３８の左側には、第２装飾体３１ｂのスライドを案内する中央案内溝８４が上下方向へ長い長孔状に形成されている。一方、基台３３の架設部における右部には、前後方向を軸として回転可能にモータ３５を取り付けるためのモータ取付部３９が設けられているとともに、該モータ取付部３９の近傍位置には、アーム３６の右端を軸支するための軸支部４０が設けられている。
【００２２】
アーム３６は、左右方向へ延設された棒状部材であって、該アーム３６の右端部には、軸支部４０に軸支される軸４６が後方へ突設されている。また、アーム３６の左端部には、第２装飾体３１ｂを軸着するための突起４７が前方へ突設されている。さらに、アーム３６の中間部には、モータ３５と連結するための連結スリット４８が左右方向に長い長孔状に形成されている。
モータ３５は、その前面にアーム３６と連結するための連結部材４９を有するものであって、連結部材４９は自身の回転駆動に応じて回転可能となっている。そして、モータ３５は、前後方向を軸として回転するような姿勢でモータ取付部３９に取り付けられる。
【００２３】
一方、第１装飾体３１ａは、前面に装飾が施された略板状体の装飾部３４ａと、該装飾部３４ａから上方へ突出する連結部４１ａと、装飾部３４ａから左側へ突出するガイド部４２ａとを備えている。そして、連結部４１ａの先端後面には、後方へ突出する軸部（図示せず）が設けられている一方、ガイド部４２ａの先端後面には、左側案内溝３７へ係合可能なガイド突起（図示せず）が後方へ突設されている。また、第３装飾体３１ｃは、第１装飾体３１ａと左右対称となるような形状に形成された略板状体の装飾部３４ｃと、該装飾部３４ｃから上方へ突出する連結部４１ｃと、装飾部３４ｃから右側へ突出するガイド部４２ｃとを備えている。そして、連結部４１ｃ及びガイド部４２ｃには、連結部４１ａ及びガイド部４２ａと同様の軸部（図示せず）やガイド突起４３が夫々設けられている。第２装飾体３１ｂは、前面に装飾が施された左右方向へ長い略板状体の装飾部３４ｂを有しており、該装飾部３４ｂの中央上部には、アーム３６の他端が軸着される軸着部４４が設けられている。また、第２装飾体３１ｂの左右両端部には、第１装飾体３１ａの連結部４１ａや第３装飾体３１ｃの連結部４１ｃを夫々連結可能な連結部４１ｂ、４１ｂが設けられている。各連結部４１ｂには、軸部を回動可能に軸支する軸支部（図示せず）が設けられているとともに、連結された第１装飾体３１ａ及び第３装飾体３１ｃを夫々特定演出位置側（第２装飾体３１ｂに近づく側）へと付勢するバネ部材４５が設けられている。また、右側の連結部４１ｂの後面には、中央案内溝８４へ係合可能なガイド突起８５が設けられている（すなわち、右側の連結部４１ｂはガイド部としても機能する）
【００２４】
上側電動役物３１、基台３３、モータ３５、及びアーム３６は、まず第１〜第３装飾体３１ａ、３１ｂ、３１ｃの連結部同士を相対的に回動可能に連結して上側電動役物３１を形成する一方、第１装飾体３１ａのガイド部４２ａを左側案内溝３７へ、第３装飾体３１ｃのガイド部４２ｃを右側案内溝３８へ、第２装飾体３１ｂの右側の連結部４１ｂを中央案内溝８４へ夫々係合させるとともに、モータ取付部３９に取り付けられたモータ３５の連結部材４９をアーム３６の連結スリット４８に挿通させてモータ３５とアーム３６とを連結し、さらにアーム３６の右端を基台３３の軸支部４０に、左端を第２装飾体３１ｂの軸着部４４に夫々回動可能に軸着して組み立てられる。
【００２５】
そして、上側電動役物３１は、モータ３５の回転駆動に伴ってアーム３６が右端を軸として上下に揺動することにより、上昇して役物付き装飾カバー３０の後方に位置する通常位置と、下降して役物付き装飾カバー３０よりも下方（図柄表示部６の前方）へと露出し、図５に示すような特定の演出を実行する特定演出位置との間を移動可能となっている。また、上側電動役物３１は、通常位置にある場合、各装飾体３１ａ、３１ｂ、３１ｃの装飾部３４ａ、３４ｂ、３４ｃ同士が離隔した状態となっている。そして、通常位置から特定演出位置側へと下降するに際して、第１装飾体３１ａの装飾部３４ａと第３装飾体３１ｃの装飾部３４ｃとが、第２装飾体３１ｂとの連結箇所を軸として回動しながら中央側（第２装飾体３１ｂ側）へ集まり、特定演出位置において３つの装飾部３４ａ、３４ｂ、３４ｃが当接し合い、１つの装飾部として一体化する。なお、一体化した際の上側電動役物３１の下辺は、上方へ膨出する湾曲状となっている。
【００２６】
一方、下側電動役物３２は、前面に装飾が施された左右方向へ長い１つの金属製板状体であって、その上辺は下方へ膨出する湾曲状に形成されている。この下側電動役物３２は、自身の右側に設けられたラックアンドピニオンによる駆動機構５０により、下降して役物付き装飾カバー３０の後方に位置する通常位置と、上昇して役物付き装飾カバー３０よりも上方（図柄表示部６の前方）へと露出し、図５に示すような特定の演出を実行する特定演出位置との間をスライド可能となっている。
【００２７】
そして、特定演出位置においては、下側電動役物３２の左右両端部が上側電動役物３１（特に第１装飾体３１ａ及び第３装飾体３１ｃ）と当接し、上側電動役物３１と下側電動役物３２とが一体化する。このとき、第１装飾体３１ａ及び第３装飾体３１ｃの当接面に設置されている磁石（図示せず）によって、上側電動役物３１と下側電動役物３２との当接箇所に隙間が生じないようになっている。また、上側電動役物３１と下側電動役物３２とが一体化することにより、上側電動役物３１の下辺と下側電動役物３２の上辺とによって周囲を囲まれるスペースＳが形成される。
【００２８】
次に、振り子役物５１について、図８〜図１１にもとづき詳細に説明する。図８は、振り子役物５１の斜視説明図であり、図９は、振り子役物５１を分解した状態を示した説明図である。図１０は、振り子役物５１の円盤体５３における周縁部の断面を示した説明図であり、図１１は、円盤体５３の組み立てを模式的に示した説明図である。
振り子役物５１は、役物付き装飾カバー３０（図２に示す）の後方、さらには上記上側電動役物３１の後方にあり、上側電動役物３１と同じ箱状の支持体に設置されている。該振り子役物５１は、アーム状に形成された支持体５２と、支持体５２の先端に設けられた円盤体５３とからなり、基台５４と、基台５４に取り付けられるモータ５５と、支持体５２とモータ５５とを連結するアーム５６とを有する駆動機構によって前後方向を軸に揺動可能となっている。支持体５２は、左右方向に延びる合成樹脂製のアーム体であって、右端部には、基台５４に軸着するための軸孔５７と、アーム５６と連結するための連結孔５８とが設けられている。また、支持体５２の左右方向での中央部には、振り子役物５１の位置を検出するための検出板５９が設置されている。さらに、支持体５２は、中空の筒状に形成されており、内部空間は、円盤体５３内部へと引き込む電線の配線スペース（図示せず）となっている。
【００２９】
一方、円盤体５３は、支持体５２の左端部に設けられた前後方向に厚みの薄い円板状の部材であって、前カバー６０と、装飾板６１と、光拡散板６２と、基台６３と、発光基板６４と、後カバー６５とを備えてなる。前カバー６０は、前面に装飾が施された円板体であって、その後面には、後方へ突出する環状壁６６が外周縁に沿って周設されている。また、環状壁６６の外面には、周方向に沿って外方へ突出する係合突条６７、６７・・が略９０度間隔で４つ設けられているとともに、所定の係合突条６７、６７間となる位置には、係合突条６７よりも更に外方へ（より具体的には前カバー６０の周縁際まで）突出する固定用突起６８（図１１に示す）が設けられている。また、固定用突起６８が設けられていない係合突条６７、６７間であって、前カバー６０の中心を挟んで略対向する位置には、装飾板６１及び光拡散板６２を取り付けるための係止スリット（図示せず）が開設されている。
【００３０】
装飾板６１は、表面に模様が描かれた合成樹脂製の円板であり、光拡散板６２は、発光基板６４に搭載されているＬＥＤ６９、６９・・の光を拡散させるための加工が施された合成樹脂製の円板である。そして、装飾板６１及び光拡散板６２の直径は、環状壁６６の内側の直径と略同じとされ、環状壁６６の内側に収納可能となっている。また、装飾板６１及び光拡散板６２の外周縁部には、係止スリットに係止可能な一対の係止突片７２、７２が設けられている。
【００３１】
基台６３は、円形な仕切り板７３の外周縁に沿って、前後両方向へ突出する外周壁７４を周設してなるもので、外周壁７４によって囲われた仕切り板７３の前側の空間には前カバー６０の環状壁６６や装飾板６１、光拡散板６２が、外周壁７４によって囲われた仕切り板７３の後側の空間には発光基板６４や後カバー６５が夫々収納可能となっている。また、仕切り板７３の前面で外周寄りとなる位置には、前カバー６０の取付に伴って光拡散板６２の後面に当接し、前カバー６０の後面との間で装飾板６１及び光拡散板６２を挟み込むための挟持リブ７５、７５・・が設けられている。さらに、外周壁７４の内面で仕切り板７３の前側となる箇所には、周方向に延びる係合レール７６、７６・・が、係合突条６７、６７・・と同じ間隔（略９０度間隔）で設けられており、夫々対応する係合突条６７が係合可能となっている。加えて、外周壁７４は、一連の環状ではなく一箇所切り欠かれて不連続となっており、当該切り欠き部分８３は、円盤体５３の組み立て時に前カバーの固定用突起６８や後カバー６５の固定爪８２が進入するスペースとなっている。また、図１１に示すように、外周壁７４の周方向での切り欠き長さは、仕切り板７３の前側の方が仕切り板７３の後側よりも固定用突起６８の周方向での幅だけ長くなっており、段部８３ａが形成されている。一方、仕切り板７３の後面外周際には、後カバー６５をネジ止めするための３つのボス（図示せず）が略１２０度間隔で後方へ突設されているとともに、ボスとボスとの間となる位置には、発光基板６４を位置決めするための位置決め突起（図示せず）が後方へ突設されている。なお、外周壁７４と挟持リブ７５との間の径方向での幅は、前カバー６０の環状壁６６が進入可能な幅となっている。
【００３２】
発光基板６４は、前面に多数のＬＥＤ６９、６９・・が搭載された円形の基板であって、外周部には、ボスとの干渉を避けるための３つの切り欠き７７、７７・・と、切り欠き状に形成されて位置決め突起に係合する３つの位置決め係合部７８、７８・・が設けられている。そして、発光基板６４は、支持体５２内に配線された電線により、パチンコ機１に内蔵されているサブ制御装置と発光制御装置を介して電気的に接続されている。
【００３３】
後カバー６５は、発光基板６４を後方から覆うように組み付けられる円形のカバー体であって、複数の空気孔７９、７９・・と３つのネジ挿通孔８１、８１・・とを有する円板部６５ａと、円板部６５ａの外周に沿って前方へ立設され、基台６３の外周壁７４の内面に沿って嵌り込む外周リブ６５ｂとを備えている。また、円板部６５ａの外周部であって、ネジ挿通孔８１、８１・・とボスとを対応させた際に基台６３の切り欠き部分８３に対応する位置には、前方へ突出する固定爪８２が設けられている。当該固定爪８２の周方向での幅は、仕切り板７３の後側における外周壁７４の切り欠き部分８３の周方向での幅と略同じとされている。また、固定爪８２の前方への突出長さは、後カバー６５を取り付けた際、切り欠き部分８３内に位置する固定爪８２の先端が外周壁７４の前側の端部と略面一となるような長さとなっている。
【００３４】
ここで、円盤体５３の組み立てについて説明すると、まず装飾板６１及び光拡散板６２の係止突片７２、７２を係止スリットに差し込んで係止させる態様で、前カバー６０の環状壁６６内部に装飾板６１及び光拡散板６２を取り付ける。次に、前カバー６０の固定用突起６８が外周壁７４の切り欠き部分８３内に位置するように、前カバー６０を基台６３の前側から組み付ける（図１１（ａ））。そして、前カバー６０を前後方向を軸として回転させ、固定用突起６８を段部８３ａ内に位置させる（図１１（ｂ））。すると、この回転操作によって係合突条６７、６７・・と係合レール７６、７６・・とが係合し、前カバー６０が基台６３の前側に仮止めされる。またこのとき、挟持リブ７５、７５の前端が光拡散板６２の後面に当接しており、装飾板６１及び光拡散板６２は前カバー６０の後面と挟持リブ７５の前端とに挟み込まれた状態となる。
【００３５】
さらに、位置決め係合部７８、７８・・を位置決め突起に係合させ、発光基板６４を基台６３の後側に位置決めした後、後カバー６５の固定爪８２が外周壁７４の切り欠き部分８３内に位置するように、後カバー６５を基台６３の後側から組み付ける（図１１（ｃ）、（ｄ））。最後に、当該状態で後カバー６５を基台６３にネジ止めすれば、固定爪８２によって固定用突起６８の回転方向への移動が規制されるとともに、基台６３の後面と後カバー６５との間の空間内に発光基板６４が固定された状態で、前カバー６０及び後カバー６５は基台６３の前側及び後側に夫々固定され、円盤体５３の組み立ては完了となる。
【００３６】
そして、上記振り子役物５１は、モータ５５の回転駆動に伴って支持体５２が右端部を軸として揺動することにより、円盤体５３が役物付き装飾カバー３０の後方に位置する通常位置と、役物付き装飾カバー３０よりも下方（図柄表示部６の前方）へと露出し、ＬＥＤ６９、６９・・を所定の態様で点灯／点滅させるといった特定の演出を実行する特定演出位置との間を移動可能となっている。また、振り子役物５１の作動時に、上側電動役物３１及び下側電動役物３２が特定演出位置に位置していると、円盤体５３はスペースＳ内に位置することになる。
【００３７】
（本実施形態のパチンコ機による効果）
以上のような構成を有するパチンコ機１によれば、上側電動役物３１が、上下方向へスライドする第２装飾体３１ｂと、第２装飾体３１ｂに対して回動可能に連結されているとともに、第２装飾体３１ｂの移動方向に対して左右に傾斜する方向へスライドする第１装飾体３１ａ及び第３装飾体３１ｃとの左右方向に並んだ３つの装飾体３１ａ、３１ｂ、３１ｃを備えてなり、通常位置から特定演出位置へと移動するにあたり、第１装飾体３１ａ及び第３装飾体３１ｃが第２装飾体３１ｂとの連結箇所を軸として回動しながらスライドするようになっている。したがって、上側電動役物３１は、従来にない動きで通常位置から特定演出位置へと移動することになり、遊技者に新鮮な印象を与えることができる。
【００３８】
また、第１装飾体３１ａ及び第３装飾体３１ｃを、通常位置から特定演出位置へと向かうにつれ第２装飾体３１ｂに近接する方向へスライド可能に（具体的には、第２装飾体３１ｂの左側にある第１装飾体３１ａを上下方向に対して左側に傾斜する方向へスライド可能に、第２装飾体３１ｂの右側にある第３装飾体３１ｃを上下方向に対して右側に傾斜する方向へスライド可能に）夫々取り付けており、通常位置では、離隔している各装飾体３１ａ、３１ｂ、３１ｃの装飾部３４ａ、３４ｂ、３４ｃが、特定演出位置へと下降するに際しての第１装飾体３１ａ及び第３装飾体３１ｃの回動に伴い、中央の第２装飾体３１ｂ側へ徐々に集まり、特定演出位置において３つの装飾部３４ａ、３４ｂ、３４ｃが当接し合い１つの装飾部として一体化するようになっている。したがって、上側電動役物３１の移動態様を一層斬新な移動態様とすることができ、遊技者に極めて新鮮な印象を与えることができる
【００３９】
さらに、各装飾体３１ａ、３１ｂ、３１ｃ同士の連結箇所に、第１装飾体３１ａ及び第３装飾体３１ｃを特定演出位置側へ付勢するバネ部材４５を設けているため、特定演出位置において第１装飾体３１ａ及び第３装飾体３１ｃの装飾部３４ａ、３４ｃを第２装飾体３１ｂの装飾部３４ｂへと確実に当接させることができる。
【００４０】
さらにまた、上下方向へスライドする下側電動役物３２を設け、特定演出位置において上側電動役物３１と下側電動役物３２とが一体化するように構成するとともに、上側電動役物３１及び下側電動役物３２を金属製とし、上側電動役物３１の下側電動役物３２との当接面に磁石を設け、一体化する際に上側電動役物３１と下側電動役物３２との当接箇所に隙間が生じないようにしている。したがって、特定演出位置において上側電動役物３１と下側電動役物３２とを確実に一体化させることができ、一体化した際の美観を向上することができる。
【００４１】
加えて、上側電動役物３１の下辺を上方へ膨出する湾曲状に、下側電動役物３２の上辺を下方へ膨出する湾曲状に夫々形成し、上側電動役物３１と下側電動役物３２とが一体化した際、上側電動役物３１の下辺と下側電動役物３２の上辺とによって周囲を囲まれるスペースＳが形成されるように構成するとともに、特定演出位置において当該スペースＳ内へ露出する振り子役物５１を設けている。したがって、３つの電動役物３１、３２、５１を組み合わせた大掛かりな演出が可能となり、パチンコ機１の遊技性を一層向上することができる。
【００４２】
（本発明の変更例について）
なお、本発明の遊技機に係る構成は、上記実施形態に何ら限定されるものではなく、遊技機の全体的な構成、電動役物の全体的な形状や大きさ、電動役物を動作させるための構成等について、本発明の趣旨を逸脱しない範囲で必要に応じて適宜変更可能である。
【００４３】
たとえば、左側案内溝３７や右側案内溝３８の傾斜方向を上記実施形態と異ならせても何ら問題はなく、左側案内溝３７を右側に、右側案内溝３８を左側に夫々傾斜させ、通常位置では各装飾部３４ａ、３４ｂ、３４ｃが前後に重なるような状態となっているところ、特定演出位置への移動に伴って第１装飾体３１ａ及び第３装飾体３１ｃが第２装飾体３１ｂから離隔する方向へ回動するといった構成としてもよい。
また、上側電動役物３１ではなく、下側電動役物３２を複数の装飾体からなるように構成してもよいし、両電動役物３１、３２について複数の装飾体からなるように構成しても何ら問題はなく、電動役物を構成する装飾体の数についても適宜変更可能である。
【００４４】
さらに、上記実施形態では、アーム３６の揺動により上側電動役物３１が上下方向へスライドするように構成しているが、上側電動役物３１を上下方向へスライドさせる構造としては他の構造（たとえば、下側電動役物３２と同じようなラックアンドピニオンによる構造等）を採用しても何ら問題はない。
さらにまた、装飾体の素材や形状等については言うまでもなく変更可能であるし、振り子役物５１の有無についても適宜変更可能である。またさらに、上記実施形態では、上側電動役物３１の通常位置を役物付き装飾カバー３１の後方位置（すなわち、遊技者からは視認できない位置）としているが、遊技者から視認可能な位置を通常位置としても何ら問題はない。
加えて、上側電動役物３１や下側電動役物３２をスロットマシーン等といったパチンコ機以外の他の遊技機に備えることも可能である。
【符号の説明】
【００４５】
１・・パチンコ機、６・・図柄表示部、３１・・上側電動役物、３１ａ・・第１装飾体、３１ｂ・・第２装飾体、３１ｃ・・第３装飾体、３２・・下側電動役物、３３・・基台、３４ａ、３４ｂ、３４ｃ・・装飾部、３５・・モータ、３６・・アーム、３７・・左側案内溝、３８・・右側案内溝、４１ａ、４１ｂ、４１ｃ・・連結部、４２ａ、４２ｃ・・ガイド部、４３、８５・・ガイド突起、４５・・バネ部材、５１・・振り子役物、８４・・中央案内溝。
【図１】
0006365652.tif 000002
【図２】
0006365652.tif 000003
【図３】
0006365652.tif 000004
【図４】
0006365652.tif 000005
【図５】
0006365652.tif 000006
【図６】
0006365652.tif 000007
【図７】
0006365652.tif 000008
【図８】
0006365652.tif 000009
【図９】
0006365652.tif 000010
【図１０】
0006365652.tif 000011
【図１１】
0006365652.tif 000012